Podtech/llm-jp-corpus-v4-ja_patent huggingface dataset:
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
第１の基板と、
前記第１の基板と対向する第２の基板と、
前記第１の基板と前記第２の基板を貼り合わせるシール材と、
前記第１の基板と前記第２の基板の間に発光素子、粘性材層および枠体と、を有し、
前記発光素子は、前記第１の基板上に設けられた第１の電極と、前記第１の電極と重なる第２の電極と、前記第１の電極と前記第２の電極に挟持された発光性の有機化合物を含む層と、を備え、
前記粘性材層は、前記発光素子に接して前記第１の基板と前記第２の基板との間に設けられ、且つ不純物と反応または不純物を吸着する乾燥剤と、粘性を有する非固体と、を含み、
前記枠体は、前記発光素子と前記粘性材層を囲み、
前記シール材は、前記発光素子と、前記粘性材層と、前記枠体と、を内側に封じ込めるように設けられていることを特徴とする発光モジュール。
【請求項２】
第１基板と、
前記第１の基板と対向する第２の基板と、
前記第１の基板と前記第２の基板を貼り合わせるシール材と、
前記第１の基板と前記第２の基板の間に発光素子、粘性材層および枠体と、を有し、
前記発光素子は、前記第１の基板上に設けられた第１の電極と、前記第１の電極と重なる第２の電極と、前記第１の電極と前記第２の電極に挟持された発光性の有機化合物を含む層と、を備え、
前記粘性材層は、前記発光素子に接して前記第１の基板と前記第２の基板との間に設けられ、且つ不純物と反応または不純物を吸着する乾燥剤と、粘性を有する非固体と、を含み、
前記枠体は、前記発光素子、前記粘性材層、第１の空間および第２の空間を囲み、
前記第１の空間は前記発光素子と重なり、
前記第２の空間は狭窄部を介して前記第１の空間と接続し、且つ少なくとも一部に前記粘性材層で満たされていない空間を備え、
前記シール材は、前記発光素子と、前記粘性材層と、前記枠体と、を内側に封じ込めるように設けられていることを特徴とする発光モジュール。
【請求項３】
請求項１または請求項２において、
前記第２の電極、前記粘性材層および前記第２の基板が、前記発光性の有機化合物を含む層が発する光を透過することを特徴とする発光モジュール。
【請求項４】
請求項１乃至請求項３のいずれか一項において、
前記粘性材層に含まれる乾燥剤の中心粒径が、１０ｎｍ以上４００ｎｍ以下であることを特徴とする発光モジュール。
【請求項５】
請求項１乃至請求項４のいずれか一項において、
活性化材層を第１の基板と第２の基板の間であって、発光素子と枠体の間に重なるように備え、
前記活性化材層は、前記粘性材層に含まれる乾燥剤を活性化する材料を含むことを特徴とする発光モジュール。
【請求項６】
第１の基板と、
前記第１の基板と対向する第２の基板と、
前記第１の基板と前記第２の基板を貼り合わせるシール材と、
前記第１の基板と前記第２の基板の間にトランジスタ、発光素子、粘性材層および枠体と、を有し、
前記トランジスタは、前記第１の基板上に設けられ、
前記発光素子は、前記第１の基板上に前記トランジスタを介して電力が供給される第１の電極と、前記第１の電極と重なる第２の電極と、前記第１の電極と前記第２の電極に挟持された発光性の有機化合物を含む層と、を備え、
前記粘性材層は、前記発光素子に接して前記第１の基板と前記第２の基板との間に設けられ、且つ不純物と反応または不純物を吸着する乾燥剤と、粘性を有する非固体と、を含み、
前記枠体は、前記トランジスタと、前記発光素子と、前記粘性材層と、を囲み、
前記シール材は、前記発光素子と、前記粘性材層と、前記枠体と、を内側に封じ込めるように設けられていることを特徴とする発光装置。
【請求項７】
請求項６において、
前記トランジスタは、ゲート絶縁層と、前記ゲート絶縁層の一方の側に接するゲート電極と、前記ゲート絶縁層の他方の側に接し、且つ前記ゲート電極と重畳する酸化物半導体層と、前記酸化物半導体層にそれぞれ電気的に接続されたソース電極およびドレイン電極を備え、
前記発光素子の第１の電極は前記ソース電極または前記ドレイン電極のいずれか一方と電気的に接続されることを特徴とする発光装置。
【請求項８】
第１の基板に、発光素子を形成する第１のステップと、
第２の基板に、前記発光素子を囲う枠体と前記枠体を囲うシール材を形成する第２のステップと、
前記枠体で囲まれた領域に、不純物と反応または不純物を吸着する乾燥剤を含み、且つ粘性を有する非固体を滴下する第３のステップと、
前記シール材を用いて、前記第１の基板と前記第２の基板を貼り合わせ、前記発光素子、前記非固体および前記枠体を内側に封じ込める第４のステップと、を有することを特徴とする発光モジュールの作製方法。
【請求項９】
第１の基板に、トランジスタと発光素子を形成する第１のステップと、
前記第２の基板に、前記トランジスタと前記発光素子を囲う枠体と前記枠体を囲うシール材を形成する第２のステップと、
前記枠体で囲まれた領域に、不純物と反応または不純物を吸着する乾燥剤を含む粘性を有する非固体を滴下する第３のステップと、
前記シール材を用いて、前記第１の基板と前記第２の基板を貼り合わせ、前記トランジスタ、前記発光素子、前記非固体および前記枠体を内側に封じ込める第４のステップと、を有することを特徴とする発光装置の作製方法。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
ポリエチレンテレフタレートからなる支持体フィルムの片面の上に、流延塗布された誘電体の薄膜樹脂フィルムからなる基材、アンカーコート層、金属薄膜層、導電性接着剤層、が順に積層されてなり、前記基材が、溶剤可溶性ポリイミドを用いて形成されたポリイミドフィルムからなり、厚みが１〜９μｍであり、前記アンカーコート層が、カーボンブラック、黒鉛、アニリンブラック、シアニンブラック、チタンブラック、黒色酸化鉄、酸化クロム、酸化マンガンからなる群より選択される１種以上の黒色顔料、または有色顔料の１種以上からなる光吸収材を含有することを特徴とするＦＰＣ用電磁波シールド材。
【請求項２】
前記アンカーコート層が、アクリル系樹脂、ポリウレタン系樹脂、ポリエステル系樹脂、セルロース系樹脂、エポキシ系樹脂、ポリアミド系樹脂からなる群の中から選択された１種以上の樹脂を含むことを特徴とする請求項１に記載のＦＰＣ用電磁波シールド材。
【請求項３】
前記導電性接着剤層が、導電性の微粒子、イオン性化合物、導電性高分子などの導電性材料群の中から選択された１種以上を含有する熱硬化型接着剤であることを特徴とする請求項１又は２に記載のＦＰＣ用電磁波シールド材。
【請求項４】
前記導電性接着剤層上に、更に、剥離処理された剥離フィルムが貼り合せてなることを特徴とする請求項１から３のいずれかに記載のＦＰＣ用電磁波シールド材。
【請求項５】
請求項１から４のいずれかに記載のＦＰＣ用電磁波シールド材が、電磁波遮蔽用の部材として使用されてなる携帯電話。
【請求項６】
請求項１から４のいずれかに記載のＦＰＣ用電磁波シールド材が、電磁波遮蔽用の部材として使用されてなる電子機器。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
メモリ保護ユニット（ＭＰＵ）と；
前記メモリ保護ユニットに関連する複数の領域記述子であって、前記領域記述子は、それぞれのメモリ領域に対するアドレスレンジと翻訳識別子値とを有することと；
翻訳識別子制御インジケータ（ＴＩＤＣＴＬ）と；
第１制御論理と
を有するコンピュータ処理システムであって、
前記第１制御論理は、前記翻訳識別子制御インジケータが第１状態にあるか否かを判定し、前記翻訳識別子制御インジケータが第１状態にある場合には、前記コンピュータ処理システムによって実行されている第１プロセスが、前記コンピュータ処理システムの第２プロセスに割当てられたメモリ領域にアクセスできるように動作可能である
ことを特徴とする、コンピュータ処理システム。
【請求項２】
前記第１制御論理は、前記翻訳識別子制御インジケータが第１状態にある場合には、複数の前記領域記述子の第２プロセスに対応する１つ以上の部分をマスキングする、
請求項１記載のコンピュータ処理システム。
【請求項３】
前記領域記述子のマスキングされた前記部分は、翻訳識別子値（ＴＩＤ）である、
請求項２記載のコンピュータ処理システム。
【請求項４】
前記コンピュータ処理システムはさらに、
領域グローバル化制御イネーブルインジケータ（ＲＧＣＥＮ）と；
プロセス識別子（ＰＩＤ）と；
第２制御論理とを有し、
前記第２制御論理は、前記領域グローバル化制御イネーブルインジケータが第１状態にあるか否かを判定するように動作可能であり、前記領域グローバル化制御イネーブルインジケータが第１状態にはない場合には、前記翻訳識別子制御インジケータ（ＴＩＤＣＴＬ）が前記第１状態にあるか否かに応じて前記第１プロセスが、前記第２プロセスに割当てられたメモリ領域にアクセスできるようにする、
請求項１記載のコンピュータ処理システム。
【請求項５】
前記コンピュータ処理システムはさらに、
制御レジスタ内のグローバル化ＰＩＤ（Ｇ＿ＰＩＤ）フィールドと；
第３制御論理と
を有し、
前記第３制御論理は、前記翻訳識別子制御インジケータが第１状態にあり、かつ第１プロセスのプロセス識別子（ＰＩＤ）値がグローバル化プロセス識別子Ｇ＿ＰＩＤフィールド内の値に一致するときには、翻訳識別子（ＴＩＤ）比較のためにグローバル化マスキングを使用するように動作可能である、
請求項１記載のコンピュータ処理システム。
【手続補正２】
【補正対象書類名】明細書
【補正対象項目名】発明の名称
【補正方法】変更
【補正の内容】
【発明の名称】領域記述子グローバル化制御を有するメモリ管理ユニット
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
ａ）Ｎ−ビニルホルムアミドの総量の第１部分、少なくとも１種類のビニルＣ１−Ｃ１０アルキルエステルの総量の第１部分及び溶媒の総量の第１部分を反応器の中に装填する；
ｂ）Ｎ−ビニルホルムアミドの総量の第２部分、少なくとも１種類のビニルＣ１−Ｃ１０アルキルエステルの総量の第２部分、溶媒の総量の第２部分、およびフリーラジカル重合触媒を、Ｎ−ビニルホルムアミドの総量およびビニルＣ１−Ｃ１０アルキルエステルの総量が反応器の中に供給されるまでの第１期間で反応器に連続的に供給し、重合を開始し；
ｃ）第２期間の間、Ｎ−ビニルホルムアミドおよび少なくとも１種類のビニルＣ１−Ｃ１０アルキルエステルをフリーラジカル重合触媒及び溶媒の存在下で反応器中において重合を継続させて、ポリビニルホルムアミドおよび１種類以上のポリビニルＣ１−Ｃ１０アルキルエステル類を含む中間体コポリマーを生成し；続いて
ｄ）中間体コポリマーを鹸化及び加水分解して水溶性コポリマーを生成する
工程を含む水溶性コポリマーを製造するためのプロセスであって、
ビニルＣ１−Ｃ１０アルキルエステルの第１部分に対するＮ−ビニルホルムアミドの第１部分のモル比が、ビニルＣ１−Ｃ１０アルキルエステルの第２部分に対するＮ−ビニルホルムアミドの第２部分のモル比未満であり、
Ｎ−ビニルホルムアミドの総量及びビニルＣ１−Ｃ１０アルキルエステルの総量の合計に対するフリーラジカル重合触媒のモル比が、０．００１〜０．１であり、
ビニルＣ１−Ｃ１０アルキルエステルの総量に対するＮ−ビニルホルムアミドの総量のモル比が０．０１〜１であり、
水溶性コポリマーが：
（ａ）０から３０ｍｏｌ％までのＮ−ビニルホルムアミド部分；
（ｂ）９９から１ｍｏｌ％までのＮ−ビニルアミン部分
（ｃ）０から３０ｍｏｌ％までの１種類以上のビニルＣ１−Ｃ１０アルキルエステル部分；および
（ｄ）１から９９ｍｏｌ％までのビニルアルコール部分
を含み、その水溶性コポリマーの１３Ｃ  ＮＭＲスペクトル中にアミジンの炭素原子の吸収と一致する吸収が無い、プロセス。
【請求項２】
第１期間が５０〜５００分間である、請求項１に記載のプロセス。
【請求項３】
溶媒の第２部分とフリーラジカル重合触媒とを混合して供給する、請求項１または２に記載のプロセス。
【請求項４】
Ｎ−ビニルホルムアミドの総量及びビニルＣ１−Ｃ１０アルキルエステルの総量の合計に対するフリーラジカル重合触媒の重量比が、０．００３８〜０．００７である、請求項１〜３のいずれかに記載のプロセス。
【請求項５】
Ｎ−ビニルホルムアミドの総量及びビニルＣ１−Ｃ１０アルキルエステルの総量の合計に対する溶媒の総量の重量比が、０．４〜０．６である、請求項１〜４のいずれかに記載のプロセス。
【請求項６】
ビニルＣ１−Ｃ１０アルキルエステルが、ビニルアセテート、ビニルプロピオネート、またはそれらの組み合わせである、請求項１〜５のいずれかに記載のプロセス。
【請求項７】
ビニルＣ１−Ｃ１０アルキルエステルが、ビニルアセテートである、請求項６に記載のプロセス。
【請求項８】
溶媒が、メタノールである、請求項１〜７のいずれかに記載のプロセス。
【請求項９】
ａ）Ｎ−ビニルホルムアミドの総量の第１部分、少なくとも１種類のビニルＣ１−Ｃ１０アルキルエステルの総量の第１部分及び溶媒の総量の第１部分を反応器の中に装填する；
ｂ）溶媒の総量の第２部分及びフリーラジカル重合触媒を第１期間の間反応器の中に供給し、重合を開始し；
ｃ）Ｎ−ビニルホルムアミドの総量の第２部分、及び少なくとも１種類のビニルＣ１−Ｃ１０アルキルエステルの第２部分を、Ｎ−ビニルホルムアミドの総量およびビニルＣ１−Ｃ１０アルキルエステルの総量が反応器の中に供給されるまでの第２期間で反応器に供給し；
ｄ）第３期間の間、Ｎ−ビニルホルムアミドおよび少なくとも１種類のビニルＣ１−Ｃ１０アルキルエステルをフリーラジカル重合触媒及び溶媒の存在下で反応器中において接触させて、ポリビニルホルムアミドおよび１種類以上のポリビニルＣ１−Ｃ１０アルキルエステル類を含む中間体コポリマーを生成し；続いて
ｄ）中間体コポリマーを鹸化及び加水分解して水溶性コポリマーを生成する
工程を含む水溶性コポリマーを製造するためのプロセスであって、
ビニルＣ１−Ｃ１０アルキルエステルの第１部分に対するＮ−ビニルホルムアミドの第１部分のモル比が、ビニルＣ１−Ｃ１０アルキルエステルの第２部分に対するＮ−ビニルホルムアミドの第２部分のモル比未満であり、
Ｎ−ビニルホルムアミドの総量及びビニルＣ１−Ｃ１０アルキルエステルの総量の合計に対するフリーラジカル重合触媒のモル比が、０．００１〜０．１であり、
ビニルＣ１−Ｃ１０アルキルエステルの総量に対するＮ−ビニルホルムアミドの総量のモル比が０．０１〜１であり、
水溶性コポリマーが：
（ａ）０から３０ｍｏｌ％までのＮ−ビニルホルムアミド部分；
（ｂ）９９から１ｍｏｌ％までのＮ−ビニルアミン部分
（ｃ）０から３０ｍｏｌ％までの１種類以上のビニルＣ１−Ｃ１０アルキルエステル部分；および
（ｄ）１から９９ｍｏｌ％までのビニルアルコール部分
を含み、その水溶性コポリマーの１３Ｃ  ＮＭＲスペクトル中にアミジンの炭素原子の吸収と一致する吸収が無い、プロセス。
【請求項１０】
第１期間が５０〜５００分間である、請求項９に記載のプロセス。
【請求項１１】
その共重合が溶媒中で行われ、Ｎ−ビニルホルムアミド及びビニルＣ１−Ｃ１０アルキルエステルの装填時又は供給時におけるＮ−ビニルホルムアミド及びビニルＣ１−Ｃ１０アルキルエステルに対する溶媒の重量比が０．２３〜０．７４である、請求項９または１０に記載のプロセス。
【請求項１２】
ビニルＣ１−Ｃ１０アルキルエステルが、ビニルアセテート、ビニルプロピオネート、またはそれらの組み合わせである、請求項９〜１１のいずれかに記載のプロセス。
【請求項１３】
ビニルＣ１−Ｃ１０アルキルエステルが、ビニルアセテートである、請求項１２に記載のプロセス。
【請求項１４】
溶媒が、メタノールである、請求項９〜１３のいずれかに記載のプロセス。
【請求項１５】
請求項１〜１４のいずれかに記載のプロセスにより製造される水溶性コポリマー。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
ある程度のファイバー相互接続性を有する整配列に、カーボンナノチューブ・ナノファイバーを配列させることによって主要アセンブリを提供することと、
前記カーボンナノチューブ・ナノファイバーを前記主要アセンブリからシートまたはリボンに引き出することと、および、
前記シートまたはリボンを紡錘または紡錘以外の基板に巻き付けるかまたは前記巻き付け以外の方法で堆積させることと、
を有する方法。
【請求項２】
前記カーボンナノチューブ・ナノファイバーが、５００ｎｍ未満の最大厚さを有する請求項１の方法。
【請求項３】
前記カーボンナノチューブ・ナノファイバーが、少なくとも１００である長さ対厚さの最小比を有する請求項１の方法。
【請求項４】
前記カーボンナノチューブ・ナノファイバーが、カーボンナノチューブ・フォレストの化学蒸着によって製造される請求項１の方法。
【請求項５】
前記カーボンナノチューブ・ナノファイバーが、単層ナノチューブ、２層ナノチューブ、多層ナノチューブ、スクロールナノチューブ、コイル状ナノチューブ、機能化ナノチューブ、または卷縮ナノチューブを含む請求項１の方法。
【請求項６】
前記ファイバー相互接続性が、フィブリル相互間の機械的結合によって形成される請求項１の方法。
【請求項７】
前記カーボンナノチューブ・ナノファイバーが、相互接続したフィブリルネットワークを含むシートまたはリボンに引き出される請求項４の方法。
【請求項８】
前記カーボンナノチューブ・ナノファイバーが前記リボンまたはシートの全体にわたって枝分かれし、横方向に延びた相互接続したナノファイバーネットワークを形成する請求項６の方法。
【請求項９】
前記カーボンナノチューブ・ナノファイバーの長さが、前記カーボンナノチューブ・ナノファイバーの厚さの１００００倍を超えている請求項１の方法。
【請求項１０】
前記カーボンナノチューブ・フォレストの高さが、５０ミクロンから３００ミクロンである請求項４の方法。
【請求項１１】
前記引き出しは５メートル／分よりも速い速度で行われる請求項１の方法。
【請求項１２】
前記カーボンナノチューブ・フォレストにおけるカーボンナノチューブの束形成を含む請求項４の方法。
【請求項１３】
前記カーボンナノチューブ・ナノファイバーが異なる寸法を有する請求項１の方法。
【請求項１４】
前記シートまたはリボンを液体で浸潤し、その後、前記リボンまたはシートから前記液体を蒸発させることをさらに含み、前記浸潤および蒸発は、前記リボンまたはシートを少なくとも部分的に高密度化し、高密度化リボンまたは高密度化シートを形成する請求項７の方法。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
充填剤入り硫黄加硫可能エラストマー組成物であって
（ｉ）少なくとも一つの硫黄加硫可能エラストマー；
（ｉｉ）少なくとも一つの微粒子充填剤；および
（ｉｉｉ）架橋に効果的な量の、硫黄加硫可能エラストマー（ｉ）の架橋剤としての、少なくとも一つの一般式：
Ｇ［−ＣａＨ２ａ−Ｓ［Ｃ（＝Ｏ）］ｂＲ１］ｎ        （１）
の硫黄含有脂環式化合物であって、
ここでＧが、価数ｎの飽和した単環式のシリコーン［ＲＳｉＯ−］ｎ［Ｒ２ＳｉＯ−］ｐ
であり、
ここでそれぞれのＲが独立して水素または２０個までの炭素原子の一価の炭化水素であり；
それぞれのＲ１が独立して水素もしくは２０個までの炭素原子の一価の炭化水素であり；
下付文字ａおよびｂの各々が独立して整数であり、ここでａが２から６であり、そしてｂが０もしくは１であり；ｐが０から３の整数であり；そしてｎが３から６の整数であり、但し、ｂが０であるときＲ１が水素原子であるという条件である、硫黄含有脂環式化合物
を含有する、充填剤入り硫黄加硫可能エラストマー組成物。
【請求項２】
硫黄加硫可能エラストマー（ｉ）が、エチレン−プロピレンコポリマー（ＥＰ）、エチレン−プロピレン−ジエンターポリマー（ＥＰＤＭ）、シス−１，４−ポリイソプレンゴム、エマルション重合調製スチレン／ブタジエンコポリマーゴム、有機溶液重合調製スチレン／ブタジエンゴム、３，４−ポリイソプレンゴム、イソプレン／ブタジエンゴム、スチレン／イソプレン／ブタジエンターポリマーゴム、シス−１，４−ポリブタジエンゴム、スチレン／イソプレンコポリマー、エマルション重合調製のスチレン／ブタジエン／アクリロニトリルターポリマーゴム、およびブタジエン／アクリロニトリルコポリマーゴムからなる群より選択される少なくとも１種である、請求項１に記載の充填剤入り硫黄加硫可能エラストマー組成物。
【請求項３】
微粒子充填剤（ｉｉ）がカーボンブラックおよびシリカからなる群より選択される少なくとも１種である、請求項１に記載の充填剤入り硫黄加硫可能エラストマー組成物。
【請求項４】
硫黄含有脂環式化合物（ｉｉｉ）が、−ＣａＨ２ａ−Ｓ(Ｃ＝Ｏ）ｂＲ１基がＧ基と比較してエクアトリアル位にあるような異性体が混合物の少なくとも５０重量パーセントを占めるような立体異性体の混合物である、請求項１に記載の充填剤入り硫黄加硫可能エラストマー組成物。
【請求項５】
硫黄含有脂環式化合物（ｉｉｉ）中のそれぞれのＲが独立して、メチル、エチル、プロピル、イソプロピル、ブチル、２−エチルヘキシル、シクロヘキシル、シクロペンチル、フェニル、ベンジル、トリル、キシリルおよびメチルベンジルからなる群より選択される、請求項１に記載の充填剤入り硫黄加硫可能エラストマー組成物。
【請求項６】
硫黄含有脂環式化合物（ｉｉｉ）が、２−［４，６−ビス−（２−メルカプト−エチル）−２，４，６−トリメチル−［１，３，５，２，４，６］トリオキサトリシリナン−２−イル］−エタンチオール、およびチオ酢酸２−［４，６−ビス−（２−アセチルスルファニル−エチル）−２，４，６−トリメチル−［１，３，５，２，４，６］トリオキサトリシリナン−２−イル］−エチルエステルからなる群より選択される少なくとも１種である、請求項１に記載の充填剤入り硫黄加硫可能エラストマー組成物。
【請求項７】
請求項１に記載の組成物を硬化したもの。
【請求項８】
ウェザー・ストリップ、ホース、ベルト、シール、ガスケットもしくは靴底として提供される、請求項７に記載の組成物を硬化したもの。
【請求項９】
硫黄含有脂環式化合物（ｉｉｉ）が、−ＣａＨ２ａ−Ｓ(Ｃ＝Ｏ）ｂＲ１基がＧ基と比較してエクアトリアル位にあるような異性体が混合物の少なくとも５０重量パーセントを占めるような立体異性体の混合物である、請求項１に記載の充填剤入り硫黄加硫可能エラストマー組成物。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
Ｃａを含有するＣａ含有銅合金の製造方法であって、
銅溶湯にＣａを添加するＣａ添加工程を有し、このＣａ添加工程では、金属Ｃａの表面に銅が被覆された銅被覆Ｃａ材を用いる構成とされ、
前記銅被覆Ｃａ材は、粒状又は塊状をなしているとともに、金属Ｃａを被覆する銅の酸素含有量が１００質量ｐｐｍ未満とされていることを特徴とするＣａ含有銅合金の製造方法。
【請求項２】
前記銅被覆Ｃａ材は、溶射又は蒸着によって、金属Ｃａの表面に銅が被覆されていることを特徴とする請求項１に記載のＣａ含有銅合金の製造方法。
【請求項３】
前記銅被覆Ｃａ材は、金属Ｃａの体積ＶＣａと被覆された銅の体積ＶＣｕとの体積比ＶＣｕ／ＶＣａが、０．０１≦ＶＣｕ／ＶＣａ≦６の範囲内とされていることを特徴とする請求項１または請求項２に記載のＣａ含有銅合金の製造方法。
【請求項４】
前記銅被覆Ｃａ材は、金属Ｃａの重量ＷＣａと被覆された銅の重量ＷＣｕとの重量比ＷＣｕ／ＷＣａが、０．１≦ＷＣｕ／ＷＣａ≦３５の範囲内とされていることを特徴とする請求項１から請求項３のいずれか一項に記載のＣａ含有銅合金の製造方法。
【請求項５】
前記Ｃａ含有銅合金は、Ｃａの含有量が０．０１原子％以上１０原子％以下、残部が銅又は不可避不純物とされた組成を有することを特徴とする請求項１から請求項４のいずれか一項に記載のＣａ含有銅合金の製造方法。
【手続補正２】
【補正対象書類名】明細書
【補正対象項目名】０００９
【補正方法】変更
【補正の内容】
【０００９】
上記の課題を解決するために、本発明のＣａ含有銅合金の製造方法は、Ｃａを含有するＣａ含有銅合金の製造方法であって、銅溶湯にＣａを添加するＣａ添加工程を有し、このＣａ添加工程では、金属Ｃａの表面に銅が被覆された銅被覆Ｃａ材を用いる構成とされ、前記銅被覆Ｃａ材は、粒状又は塊状をなしているとともに、金属Ｃａを被覆する銅の酸素含有量が１００質量ｐｐｍ未満とされていることを特徴としている。
【手続補正３】
【補正対象書類名】明細書
【補正対象項目名】００１１
【補正方法】変更
【補正の内容】
【００１１】
また、金属Ｃａを被覆する銅の酸素含有量が１００質量ｐｐｍ未満とされているので、金属Ｃａの酸化を抑制でき、Ｃａ酸化物の巻き込みの少ない高品質な鋳塊を得ることができる。
さらに、粒状又は塊状の前記銅被覆Ｃａ材を用いることにより、銅溶湯中に所定量のＣａを添加でき、Ｃａ含有銅合金中のＣａ濃度を精度良く調整することができる。また、金属Ｃａの表面を確実に銅で被覆することが可能となる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００３４
【補正方法】変更
【補正の内容】
【００３４】
以上、本発明の実施形態について説明したが、本発明はこれに限定されることはなく、その発明の技術的思想を逸脱しない範囲で適宜変更可能である。
【手続補正７】
【補正対象書類名】明細書
【補正対象項目名】００４０
【補正方法】変更
【補正の内容】
【００４０】
（本発明例１、２及び参考例３、４）
真空溶解炉にて、純度９９．９ｍａｓｓ％以上の電気銅５ｋｇを１１５０℃で溶解し、その後Ａｒ雰囲気中で保持した銅溶湯中に、上述した銅被覆Ｃａ材を用いて、Ｃａ濃度が表１に示す目標濃度となるように添加し、鉄製の鋳型に鋳込み、７０ｍｍ×５０ｍｍ×１５０ｍｍの鋳塊を得た。
【手続補正８】
【補正対象書類名】明細書
【補正対象項目名】００４７
【補正方法】変更
【補正の内容】
【００４７】
【表１】
2015134375.tif 000001
【手続補正９】
【補正対象書類名】明細書
【補正対象項目名】００４９
【補正方法】変更
【補正の内容】
【００４９】
これに対して、銅被覆Ｃａ材を添加した本発明例１、２においては、Ｃａ添加時の酸化物の浮遊物の発生が抑制されており、鋳塊への酸化物の巻き込みも少なかった。また、本発明例１、２の鋳塊では、Ｃａ添加歩留が高く、鋳塊内のＣａ濃度のばらつきも抑えられていた。
【手続補正１０】
【補正対象書類名】明細書
【補正対象項目名】００５２
【補正方法】変更
【補正の内容】
【００５２】
そして、上述のようにして準備した銅被覆Ｃａ材を用いて、実施例１の本発明例１、２及び参考例３、４と同様の手順で鋳塊を製造し、「Ｃａ添加時における浮遊物の発生状況」、「鋳塊における酸化物巻き込み状況」、「Ｃａの添加歩留」、「鋳塊内のＣａ濃度のばらつき」について、実施例１と同様の手順で評価した。評価結果を表３に示す。
【手続補正１１】
【補正対象書類名】明細書
【補正対象項目名】００５３
【補正方法】変更
【補正の内容】
【００５３】
【表２】
2015134375.tif 000002
【手続補正１２】
【補正対象書類名】明細書
【補正対象項目名】００５４
【補正方法】変更
【補正の内容】
【００５４】
【表３】
2015134375.tif 000003
【手続補正１３】
【補正対象書類名】明細書
【補正対象項目名】００５５
【補正方法】変更
【補正の内容】
【００５５】
表２及び表３に示すように、本発明例１１−１４、１９においては、上述した比較例１，２に比べて、Ｃａ添加時の酸化物の浮遊物の発生が抑制され、鋳塊への酸化物の巻き込みが少なくなっていた。また、Ｃａ添加歩留が高く、鋳塊内のＣａ濃度のばらつきも抑えられていた。金属Ｃａの形状、大きさが異なる場合であっても、酸素含有量が１００質量ｐｐｍ未満の銅材によって被覆し、金属Ｃａの体積ＶＣａと被覆された銅の体積ＶＣｕとの体積比ＶＣｕ／ＶＣａ、及び、金属Ｃａの重量ＷＣａと被覆された銅の重量ＷＣｕとの重量比ＷＣｕ／ＷＣａを所定の範囲内とすることで、Ｃａを確実に添加できることが確認された。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
第VII因子を含み、マンニトール、スクロースおよびグリシルグリシンを含まない液体形または固体形の医薬組成物であって、さらに少なくとも１の親水性アミノ酸または正に荷電した側鎖を有するアミノ酸、および少なくとも１の疎水性アミノ酸を含む医薬組成物。
【請求項２】
液体形である、請求項１の医薬組成物。
【請求項３】
凍結乾燥体である、請求項１の医薬組成物。
【請求項４】
あらゆる糖、ポリオール、およびメチオニンを含まない請求項１〜３のいずれかに記載の組成物。
【請求項５】
第VII因子が、遺伝子操作をした細胞からまたはトランスジェニック動物から得られたものである、請求項１〜４のいずれかに記載の組成物。
【請求項６】
第VII因子が活性型（FVIIa）である、請求項１の医薬組成物。
【請求項７】
アルカリ金属塩、アルカリ土類金属塩、または遷移金属塩をさらに含む請求項１〜６のいずれかに記載の組成物。
【請求項８】
以下の成分：
第VII因子；
アルギニン；
イソロイシン；
リジン
グリシン、および
クエン酸三ナトリウムまたは塩化カルシウム
を含む請求項１〜７のいずれかに記載の組成物。
【請求項９】
ポリソルベート80またはポリソルベート20をさらに含む請求項８に記載の組成物。
【請求項１０】
以下の成分：
第VII因子；
10〜40g/lの所望により塩酸形のアルギニン；
4.2〜6.6g/lのイソロイシン；
0.6〜1.8g/lのリジン；
0.6〜1.8g/lのグリシン；
1〜2g/lのクエン酸三ナトリウム二水和物または0〜0.2g/lの塩化カルシウム二水和物；
を含む請求項８記載の組成物。
【請求項１１】
以下の成分：
0.2〜2ｇ/lの第VII因子；
24ｇ/lのアルギニン塩酸塩；
6ｇ/lのイソロイシン；
1.5ｇ/lのクエン酸三ナトリウム二水和物
1.2ｇ/lのグリシン；
1.2ｇ/lのリジン塩酸塩
0.07ｇ/lのポリソルベート80
を含む請求項１０記載の組成物。
【請求項１２】
以下の成分：
0.2〜2g/lの第VII因子、
34ｇ/lのアルギニン塩酸塩、
0.15ｇ/lの塩化カルシウム二水和物、
6ｇ/lのイソロイシン、
を含む請求項１０記載の組成物。
【請求項１３】
請求項１〜１２のいずれかに記載の組成物から得られた凍結乾燥固体組成物。
【請求項１４】
FVIIと緩衝溶液を混合し、必要であればpHを調整し、ろ過し、次いで必要であれば乾燥させて固体形を得ることを含む、請求項１〜１３のいずれかに記載の医薬組成物の製造方法。
【請求項１５】
請求項１〜１３のいずれかに記載の固体組成物を注射用水中に溶解させることを含む、治療に用いるための注射用製剤の製造方法。
【請求項１６】
請求項１５記載の方法により得ることができる注射用製剤。
【請求項１７】
血友病または先天性第VII因子不全の治療に用いるための、請求項１〜１３のいずれかに記載の医薬組成物または請求項１６に記載の注射用製剤。
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
配列番号：20のアミノ酸31から431を含むIL-15受容体α（IL-15Rα）-Fc融合タンパク質をコードする、ポリヌクレオチド配列。
【請求項２】
請求項1記載のポリヌクレオチドを含む発現ベクター。
【請求項３】
IL-15をコードするポリヌクレオチド配列をさらに含む、請求項2記載の発現ベクター。
【請求項４】
IL-15が、配列番号：2のアミノ酸49から162と少なくとも95％同一である、請求項3記載の発現ベクター。
【請求項５】
IL-15が、配列番号：2のアミノ酸49から162を含む、請求項3記載の発現ベクター。
【請求項６】
IL-15ポリヌクレオチド配列が、配列番号：1のヌクレオチド配列を含む、請求項3記載の発現ベクター。
【請求項７】
IL-15ポリヌクレオチド配列が、配列番号：3または4のヌクレオチド配列を含む、請求項3記載の発現ベクター。
【請求項８】
請求項1記載のポリヌクレオチド配列およびIL-15をコードするポリヌクレオチド配列を含む、安定した細胞株。
【請求項９】
請求項2から7のいずれか一項記載の発現ベクターを含む、安定した細胞株。
【請求項１０】
請求項1記載の発現ベクターおよびIL-15をコードするポリヌクレオチド配列を含む発現ベクターを含む、安定した細胞株。
【請求項１１】
IL-15が、配列番号：2のアミノ酸49から162を含む、請求項8または10記載の安定した細胞株。
【請求項１２】
IL-15ポリヌクレオチド配列が、配列番号：1のヌクレオチド配列を含む、請求項8または10記載の安定した細胞株。
【請求項１３】
IL-15ポリヌクレオチド配列が、配列番号：3または4のヌクレオチド配列を含む、請求項8または10記載の安定した細胞株。
【請求項１４】
293細胞株である、請求項8から13のいずれか一項記載の安定した細胞株。
【請求項１５】
請求項8から14のいずれか一項記載の細胞株を培養する段階を含む、IL-15/IL-15Rα-Fcヘテロ二量体を産生するための方法。
【請求項１６】
IL-15/IL-15Rα-Fcヘテロ二量体を精製する段階をさらに含む、請求項15記載の方法。
【請求項１７】
IL-15に結合したIL-15Rα-Fcを含むIL-15/IL-15Rα-Fcヘテロ二量体であって、IL-15Rα-Fcが配列番号：20のアミノ酸31から431を含む、ヘテロ二量体。
【請求項１８】
IL-15が、配列番号：2のアミノ酸49から162と少なくとも95％同一である、請求項17記載のIL-15/IL-15Rα-Fcヘテロ二量体。
【請求項１９】
可溶型のIL-15Rαに結合したIL-15を含むIL-15/IL-15Rαヘテロ二量体を含む、薬学的組成物。
【請求項２０】
ヒト対象の末梢組織におけるリンパ球の枯渇の予防、減少もしくは阻害、および/または枯渇したリンパ球の再増殖の促進に使用するための、請求項19記載の薬学的組成物。
【請求項２１】
対象が癌を患っている、請求項20記載の薬学的組成物。
【請求項２２】
対象がリンパ球減少症を有している、請求項20記載の薬学的組成物。
【手続補正書】
【提出日】平成27年8月25日(2015.8.25)
【手続補正１】
【補正対象書類名】明細書
【補正対象項目名】００３０
【補正方法】変更
【補正の内容】
【００３０】
環化反応に用いる配位化合物、ハロシラン化合物、第３級アミンの使用量は、適宜決定すればよく、例えば、上記スキームのようにドデカクロロシクロヘキサシランを合成する際は、トリクロロシラン６モルに対し、典型的には、配位化合物を２モル用いる。配位化合物は、１モル以上であればより好ましく、５０モル程度までの範囲で使用することができる。また、第３級アミンは、トリクロロシラン１モルに対して、０．５〜４モル用いることが好ましく、同モルとすることが特に好ましい。他のハロシラン化合物を用いる場合も同様である。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
（ａ）配列番号１３３４のアミノ酸配列と少なくとも８０％の同一性を有するアミノ酸配列、又は（ｂ）前記（ａ）のアミノ酸配列において１又は２のアミノ酸が置換、欠失、又は挿入されたアミノ酸配列、を含むペプチド。
【請求項２】
ＦＡＭ−Ｔｔｄｓ、ＰＥ、Ｐａｌｍ、２−フェニルアセチル、３−フェニルプロピオニル、２−（ナフタ−２−イル）アセチル、ヘキサノイル、２−メチルプロピオニル、３−メチルブタノイル、２−ナフチルスルホニル、および１−ナフチルスルホニルからなる群から選択されるＮ末端アミノ酸（複数を含む）および／または部分を更に含む、請求項１に記載のペプチド。
【請求項３】
Ｃ、ｃ、Ｃ（ＮＥＭ）、Ｋ（Ｔｔｄｓ−マレイミドプロピオニル（ＥｔＳＨ））、ＦＡ１９２０５、ＦＡ１９２０４、ＦＡ１９２０３、ＦＡ０３２０２、Ｋ（Ｔｄｔｓ−マレイミド）、Ｋ（ＡＯＡ）、およびＣｅａからなる群から選択されるＣ末端アミノ酸（複数を含む）および／または部分を更に含む、請求項１又は２に記載のペプチド。
【請求項４】
前記ペプチドのＩＣ５０は、２５０ｎＭ未満である、請求項１から３のいずれか一項に記載のペプチド。
【請求項５】
前記ペプチドのＩＣ５０は、５０ｎＭ未満である、請求項４に記載のペプチド。
【請求項６】
ＴＦＰＩ活性を阻害し、１０μＭ未満の解離定数でＴＦＰＩ１−アルファに結合する、請求項１から５のいずれか一項に記載のペプチド。
【請求項７】
前記ペプチドの半減期を増加する部分に作動可能に連結した、請求項１から６のいずれか一項に記載のペプチド。
【請求項８】
ポリエチレングリコール（ＰＥＧ）部分に結合した、請求項１から６のいずれか一項に記載のペプチド。
【請求項９】
ヒト血清アルブミン（ＨＳＡ）、抗体もしくはその断片、ヒドロキシエチルデンプン、プロリン−アラニン−セリン多量体（ＰＡＳ化）、Ｃ１２〜Ｃ１８脂肪酸、またはポリシアル酸に結合した、請求項１から６のいずれか一項に記載のペプチド。
【請求項１０】
環状構造を有する、請求項１から６のいずれか一項に記載のペプチド。
【請求項１１】
配列番号１３３４のアミノ酸配列と９０％の同一性を有する、請求項１から１０のいずれか一項に記載のペプチド。
【請求項１２】
配列番号１３３４のアミノ酸配列を有する、請求項１１項に記載のペプチド。
【請求項１３】
配列番号１３３４のアミノ酸配列からなる、請求項１２項に記載のペプチド。
【請求項１４】
請求項１から１３のいずれか一項に記載の２つ以上のペプチドのホモ二量体、ホモ多量体、ヘテロ二量体、又はヘテロ多量体を含む、ＴＦＰＩ結合性ペプチド。
【請求項１５】
血液凝固障害に罹患しているかまたは血液凝固障害に罹患するリスクのある対象の治療のための組成物であって、請求項１から１３のいずれか一項に記載のペプチドを含む、組成物。
【請求項１６】
請求項１から１３のいずれか一項に記載のペプチドと、薬学的に許容される担体とを含む、医薬組成物。
【請求項１７】
（ｉ）請求項１から１３のいずれか一項に記載のペプチドと、（ｉｉ）前記ペプチド(ｉ)に結合したもう一つのペプチドと、を含むペプチド複合体。
【請求項１８】
前記ペプチド(ｉ)が、多量体化ドメイン又は化学結合で前記ペプチド(ｉｉ)に結合している、請求項１７に記載のペプチド複合体。
【請求項１９】
ペプチドの半減期を延長する少なくとも一つの部分を更に含む、請求項１７又は１８に記載のペプチド複合体。
【請求項２０】
血液凝固障害に罹患しているかまたは血液凝固障害に罹患するリスクのある対象の治療に使用するための組成物であって、請求項１７から１９のいずれか一項に記載のペプチド複合体を含む、組成物。
【請求項２１】
ＴＦＰＩを精製する方法であって、
ａ）ＴＦＰＩを含有する試料を、請求項１から６のいずれか一項又は請求項１１から１３のいずれか一項に記載のペプチドと、ＴＦＰＩおよび前記ペプチドの間で複合体を形成するのに適切な条件下で接触させるステップ、
ｂ）前記試料から前記複合体を除去するステップ、ならびに任意選択で、
ｃ）ＴＦＰＩを放出するために前記複合体を解離させるステップ
を含む、方法。
【請求項２２】
請求項１２又は１３に記載のペプチドをコードする核酸配列を含む、ポリヌクレオチド。
【請求項２３】
請求項２２に記載のポリヌクレオチドを含む、発現ベクター。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
ａ）凍結乾燥されたグリベンクラミド粉末、
ｂ）一つ又はそれより多い実質的に薬学的に不活性な化合物、及び
ｃ）一つ又はそれより多いアルカリ金属塩基、
を含む固体薬学的組成物であって、
脱イオン水中で再構成された時の固体薬学的組成物のｐＨは約８よりも大きい、固体薬学的組成物。
【請求項２】
凍結乾燥されたグリベンクラミドが微粉化される、請求項１に記載の固体薬学的組成物。
【請求項３】
一つ又はそれより多い実質的に薬学的に不活性な化合物が、独立して糖及び塩から選択される、請求項１に記載の固体薬学的組成物。
【請求項４】
一つ又はそれより多い実質的に薬学的に不活性な化合物が、独立してグルコース、フルクトース、マンノース、ガラクトース、マンニトール、ソルビトール、ラクトース、スクロース、トレハロース、他の糖類、塩化ナトリウム、塩化カリウム及び活性な成分の薬理学的な活性にほとんど又は全く影響ない他の化合物からなる群から選択される、請求項１に記載の固体薬学的組成物。
【請求項５】
実質的に薬学的に不活性な化合物がマンニトールである、請求項４に記載の固体薬学的組成物。
【請求項６】
アルカリ金属塩基が水酸化ナトリウム又は水酸化カリウムである、請求項１に記載の固体薬学的組成物。
【請求項７】
実質的に薬学的に不活性な化合物の一つがマンニトールであり、アルカリ金属塩基が水酸化ナトリウムである、請求項１に記載の固体薬学的組成物。
【請求項８】
組成物がさらに緩衝剤の存在下で調製される、請求項１に記載の固体薬学的組成物。
【請求項９】
緩衝剤がＢｒｉｔｔｏｎ−Ｒｏｂｉｎｓｏｎ緩衝液、リン酸緩衝液、トリス緩衝液、ＨＥＰＥＳ緩衝液又は他の緩衝剤からなる群から選択される、請求項８に記載の固体薬学的組成物。
【請求項１０】
実質的に薬学的に不活性な化合物の量は１０％ｗ／ｗ未満である、請求項１に記載の固体薬学的組成物。
【請求項１１】
ｐＨが１０より大きい、請求項１に記載の固体薬学的組成物。
【請求項１２】
組成物が緩衝剤及び第二の薬学的活性化合物をさらに含む、請求項１に記載の固体薬学的組成物。
【請求項１３】
請求項１に記載の凍結乾燥されたグリベンクラミド粉末を含む水性の薬学的組成物であって、凍結乾燥されたグリベンクラミド粉末は基本的に；
ａ）グリベンクラミド、
ｂ）マンニトール、及び
ｃ）水酸化ナトリウム
からなり、
凍結乾燥されたグリベンクラミド粉末は水又は生理食塩水と混合される、水性の薬学的組成物。
【請求項１４】
ａ）グリベンクラミドの水溶液を調製すること、
ｂ）グリベンクラミドの溶解度を上昇させるためにｐＨを高い値に調節すること、及び
ｃ）凍結乾燥された固体組成物を提供するために溶液を凍結乾燥すること、
を含む、溶液中のグリベンクラミド粉末を凍結乾燥する方法。
【請求項１５】
溶液を凍結乾燥する前に少なくとも一つの酸を添加することによってｐＨを低い値に調節することをさらに含む、請求項１４に記載の方法。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
脱毛症の予防および治療的処置に使用する美容用または皮膚科用組成物を製造するための、下記一般式(I) に対応するペプチド、もしくは下記一般式(II)に対応するその複合体、またはそれらの混合物の使用：
X-Gly-His-Lys-Y (I) (SEQ ID NO. 1-2) 
A-X-Gly-His-Lys-Y (II) (SEQ ID NO. 3-4)
上記式中、Ａは、下記に対応する基を表し、
−一般式(III)のモノカルボン酸
HOOC-R(III)(ここで、Ｒは、直鎖または分岐のC1〜C24 脂肪族基である)、リポ酸またはN−リポイル−リシン、
Ｘは、１〜３のリシン残基の鎖を表すか、結合を表し（式（II)の場合）、
Ｙは−OHまたは−NH2基を表し、
アミノ酸はＤ、ＬまたはDL形であり、
あるいはA−Xは水素原子を表す。
【請求項２】
一般式(III)の酸が、酢酸、ミリスチン酸およびパルミチン酸から選ばれるC1〜C24脂肪族基、またはリポ酸もしくはN−リポイル−リシンであることを特徴とする、請求項１記載の使用。
【請求項３】
Ａがリポ酸、酢酸およびパルミチン酸から選ばれることを特徴とする、請求項１または２記載の使用。
【請求項４】
複合体が以下から選ばれることを特徴とする、請求項１〜３のいずれかの項記載の使用：
１- A-Lys-Lys-Gly-His-Lys-NH2 (SEQ ID NO. 11) 
２- A-Lys-Gly-His-Lys-NH2 (SEQ ID NO. 12) 
３- A-Lys-Lys-Gly-His-Lys-OH (SEQ ID NO. 13) 
４- A-Lys-Gly-His-Lys-OH (SEQ ID NO. 14) 
ただし、Ａは請求項１〜３のいずれかの項で定義した一般式(III) の酸である。
【請求項５】
ペプチドまたはペプチド複合体が以下から選ばれることを特徴とする、請求項１〜４のいずれか１項記載の使用：
H-Gly-His-Lys-OH 
Lipoyl-Lys-Gly-His-Lys-NH2 
Ac-Lys-Gly-His-Lys-NH2 
Palm-Lys-Gly-His-Lys-NH2。
【請求項６】
ミノキシジル、ニコチン酸エステル、抗炎症剤、レチンノイン酸もしくはその誘導体、レチノール、または 5α- リダクターゼ阻害剤から選ばれた再発毛を改善する化合物をペプチドまたはペプチド複合体と併用することを特徴とする、請求項１〜５のいずれか１項記載の使用。
【請求項７】
下記式(II)に対応する別のペプチド複合体およびそれらの混合物を、前記ペプチドまたはペプチド複合体と併用することを特徴とする、請求項１〜５のいずれか１項記載の使用：
A-W-Lys-Asp-Val-Z (II) (SEQ ID NO. 17-18)
式中、
Ａは、酢酸およびパルミチン酸から選ばれるC1〜C24 脂肪族基であり、
Ｗは、Ｚが、DOPA-NH2を表す場合は結合を表し、
あるいはＷは、ＺがTyr-NH2 、Tyr-OHまたはDOPA-NH2を表す場合はGly-Gln-GlnまたはGlu-Glnを表す。
【請求項８】
美容または皮膚科用組成物が局所適用のためであり、p-アミノ安息香酸（PABA）またはそのエステル；ケイ皮酸エステル；サリチル酸エステル；ベンゾイミダゾール；ベンジリデンカンファー誘導体およびトリアジンから選ばれたUVB遮蔽剤を併用することを特徴とする、請求項１〜７のいずれか１項記載の使用。
【請求項９】
p-アミノ安息香酸のエステルがエチルヘキシルジメチルPABAもしくはPEG-25 PABA；ケイ皮酸エステルがメトキシケイ皮酸エチルヘキシル、p-メトキシケイ皮酸イソアミル、もしくはオクトクリレン；サリチル酸エステルがホモサレート、もしくはサリチル酸エチルヘキシル；ベンゾイミダゾールがフェニルベンゾイミダゾールスルホン酸；ベンジリデンカンファー誘導体が4-メチルベンジリデンカンファー、ベンジリデンカンファー、カンファーベンザルコニウムメトスルフェートもしくはポリアクリルアミドメチルベンジリデンカンファー；トリアジンがエチルヘキシルトリアゾンもしくはジエチルヘキシルブタミドトリアゾンであることを特徴とする請求項８記載の使用。
【請求項１０】
請求項１〜５のいずれか１項記載のペプチドまたはペプチド複合体を、場合により請求項６または７記載の再発毛を改善する化合物、および請求項８または９記載のＵＶＢ遮蔽剤と併用した組成物を頭皮に適用することを含む、脱毛症に対する美容的処置方法。
【請求項１１】
請求項１〜５のいずれか１項記載のペプチドまたはペプチド複合体を、場合により請求項６または７記載の再発毛を改善する化合物と併用して含む、食品サプリメント。
【請求項１２】
請求項１１記載の食品サプリメントを投与することを含む、脱毛症に対する美容的処置方法。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記可変表示部に変動表示させるために遊技者によって操作される開始操作手段と、
永久磁石が組み込まれたロータを囲むように配置された複数の励磁相に対して予め定められた順番で励磁することにより前記可変表示部を変動表示させるステッピングモータと、
前記ステッピングモータの前記複数の励磁相に対して予め定められた順番で励磁することにより前記可変表示部を変動表示させる変動制御を行う変動制御手段と、
前記励磁相に関するデータである励磁相データを含む遊技の制御を行うためのデータを読み出し及び書き込み可能に記憶する記憶領域を有し、前記スロットマシンへの電力供給が停止しても該記憶領域に記憶されているデータを保持することが可能なデータ記憶手段と、
設定操作手段の操作に基づいて、遊技者にとっての有利度が異なる複数種類の設定値のうちから、いずれかの設定値を選択して設定する設定値設定手段と、
前記設定操作手段の操作に基づいて、前記設定値設定手段により新たな設定値が設定されるときに前記データ記憶手段に記憶されているデータを初期化する設定時初期化手段と、
を備え、
前記設定時初期化手段が初期化するデータには、前記励磁相データは含まれず、
前記変動制御手段は、前記設定時初期化手段により前記データ記憶手段の初期化が行われ、遊技者によって前記開始操作手段が操作されたときに、前記データ記憶手段に記憶されている前記励磁相データに基づいて前記変動制御を行い、
前記スロットマシンは、複数の端子を有する外部出力手段から外部出力信号を外部へ出力するための制御を行う外部出力制御手段をさらに備え、
前記外部出力信号のうち前記設定値の変更に係る設定変更信号と、エラーに係るエラー信号と、が前記複数の端子のうちの同一の端子から出力される
ことを特徴とするスロットマシン。
【手続補正２】
【補正対象書類名】明細書
【補正対象項目名】０００２
【補正方法】変更
【補正の内容】
【０００２】
この種のスロットマシンとしては、下記特許文献１、２に記載のものが提案されている。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００３−１１７０７６号公報
【特許文献２】特開２００６−１９８１９６号公報
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、遊技者から設定変更されたことが見抜かれてしまうことを防止できるスロットマシンを提供することを目的とする。
【手続補正８】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記可変表示部に変動表示させるために遊技者によって操作される開始操作手段と、
永久磁石が組み込まれたロータを囲むように配置された複数の励磁相に対して予め定められた順番で励磁することにより前記可変表示部を変動表示させるステッピングモータと、
前記ステッピングモータの前記複数の励磁相に対して予め定められた順番で励磁することにより前記可変表示部を変動表示させる変動制御を行う変動制御手段と、
前記励磁相に関するデータである励磁相データを含む遊技の制御を行うためのデータを読み出し及び書き込み可能に記憶する記憶領域を有し、前記スロットマシンへの電力供給が停止しても該記憶領域に記憶されているデータを保持することが可能なデータ記憶手段と、
設定操作手段の操作に基づいて、遊技者にとっての有利度が異なる複数種類の設定値のうちから、いずれかの設定値を選択して設定する設定値設定手段と、
前記設定操作手段の操作に基づいて、前記設定値設定手段により新たな設定値が設定されるときに前記データ記憶手段に記憶されているデータを初期化する設定時初期化手段と、
を備え、
前記設定時初期化手段が初期化するデータには、前記励磁相データは含まれず、
前記変動制御手段は、前記設定時初期化手段により前記データ記憶手段の初期化が行われ、遊技者によって前記開始操作手段が操作されたときに、前記データ記憶手段に記憶されている前記励磁相データに基づいて前記変動制御を行い、
前記スロットマシンは、複数の端子を有する外部出力手段から外部出力信号を外部へ出力するための制御を行う外部出力制御手段をさらに備え、
前記外部出力信号のうち前記設定値の変更に係る設定変更信号と、エラーに係るエラー信号と、が前記複数の端子のうちの同一の端子から出力される
ことを特徴としている。